(57)【要約】【課題】所期の発光寿命を確保しながら、低階調領域での色ズレを抑制した有機ＥＬ表示装置を提供すること。【解決手段】表示装置１００は、パルス駆動と定電流駆動とを表示の階調に応じて切替える駆動切替部５１を備えている。当該部は、所定の階調以下の低階調領域においてはパルス駆動を行い、それよりも高い中高階調領域では定電流駆動を行う。低階調領域ではパルスの振幅が基準電流よりも高く、パルス駆動のデューティ比の逆数と基準電流とを掛け合わせた値よりも大きい駆動電流が有機ＥＬ層に供給される。この駆動電流は、複数の発光層間のエネルギーギャップを超えられるため、低階調領域においても所期の白色光を得ることができる。さらに、中高階調領域では、定電流駆動に切替えるため、有機ＥＬ層への負荷が軽減されて、発光寿命を確保することができる。従って、低階調領域で所期の発色と、所期の発光寿命とを両立することができる。【選択図】図２
2011141412.tif 000002
【特許請求の範囲】
【請求項１】
基板と、
それぞれが異なる色光を発する複数の発光層と、
赤、緑、青を含む複数色の色フィルターが配置されたカラーフィルターとを少なくとも有し、
前記発光層の各々が放つ複数の色光を合成した略白色光を前記カラーフィルターを介して出射する有機ＥＬ表示装置であって、
前記複数の発光層を含む積層構造に対して、画像信号に規定された表示の階調に応じた基準電流を１フレーム内において連続供給して表示を行う定電流駆動と、
前記基準電流よりも高い電流を前記１フレーム内における所定の期間に供給して前記表示を行うパルス駆動と、を切替える駆動切替部を備え、
前記駆動切替部は、前記階調が所定の階調以下のときには前記パルス駆動を行い、前記階調が前記所定の階調より高いときには前記定電流駆動を行うことを特徴とする有機ＥＬ表示装置。
【請求項２】
前記所定の階調は、画像信号における１画面当りの平均輝度であり、
前記有機ＥＬ表示装置の表示面における平均輝度で表した場合、前記平均輝度が３〜２０ｃｄ／ｃｍ2の範囲内に相当する階調であることを特徴とする請求項１に記載の有機ＥＬ表示装置。
【請求項３】
基板と、
それぞれが異なる色光を発する複数の発光層と、
赤、緑、青を含む複数色の色フィルターが配置されたカラーフィルターとを少なくとも有し、
前記発光層の各々が放つ複数の色光を合成した略白色光を前記カラーフィルターを介して出射する有機ＥＬ表示装置であって、
前記複数の発光層を含む積層構造に対して、画像信号に規定された表示の階調に応じた基準電流を１フレーム内において連続供給して表示を行う定電流駆動と、
前記基準電流よりも高い電流を前記１フレーム内における所定の期間に供給して表示を行うパルス駆動と、を切替える駆動切替部と、
前記有機ＥＬ表示装置が配置されている周囲の環境における照度を検出する照度検出部とを備え、
前記駆動切替部は、前記照度検出部が検出した前記照度が所定の照度以下のときには前記パルス駆動を行い、前記照度が前記所定の照度より高いときには前記定電流駆動を行うことを特徴とする有機ＥＬ表示装置。
【請求項４】
前記所定の照度は、２００ｌｕｘ以下の照度であることを特徴とする請求項３に記載の有機ＥＬ表示装置。
【請求項５】
前記１フレームにおける前記パルス駆動のデューティ比は、１／３〜１／５０の範囲内であることを特徴とする請求項１〜４のいずれか一項に記載の有機ＥＬ表示装置。
【請求項６】
前記パルス駆動における前記基準電流よりも高い電流は、前記基準電流と、前記デューティ比の逆数とを掛け合わせた値よりも大きいことを特徴とする請求項１〜５のいずれか一項に記載の有機ＥＬ表示装置。
【請求項７】
前記パルス駆動は、前記１フレームの期間長において、全ての走査線を順次走査する走査駆動を第１サブフィールドと、第２サブフィールドとの２回行うサブフィールド駆動により行われ、
前記第１サブフィールドおよび第２サブフィールドの期間長は、前記デューティ比に応じて設定されており、
前記第１サブフィールドにおいては、前記基準電流よりも高い電流を前記積層構造に供給し、
前記第２サブフィールドにおいては、前記積層構造に電流を供給しないことを特徴とする請求項１〜６のいずれか一項に記載の有機ＥＬ表示装置。
【請求項８】
前記積層構造には、赤、緑、青色の各色に対応した前記発光層が含まれており、
前記基板上に、前記積層構造と、前記カラーフィルターとが、この順番に形成されたトップエミッション型の構成を採用していることを特徴とする請求項１〜７のいずれか一項に記載の有機ＥＬ表示装置。
【請求項９】
請求項１〜８のいずれか一項に記載の有機ＥＬ表示装置を備えたことを特徴とする電子機器。
【請求項１０】
基板と、
それぞれが異なる色光を発する複数の発光層と、
赤、緑、青を含む複数色の色フィルターが配置されたカラーフィルターとを少なくとも有し、
前記発光層の各々が放つ複数の色光を合成した略白色光を前記カラーフィルターを介して出射する有機ＥＬ表示装置の駆動方法であって、
画像信号に規定された表示の階調が所定の階調よりも高いときには、前記階調に応じた基準電流を１フレーム内において連続供給して定電流駆動を行い、
前記階調が所定の階調以下のときには、前記基準電流よりも高い電流を前記１フレーム内における所定の期間に供給するパルス駆動を行うことを特徴とする有機ＥＬ表示装置の駆動方法。
【発明の詳細な説明】
【技術分野】
【０００１】
本発明は、有機ＥＬ表示装置、その駆動方法、および当該表示装置を備えた電子機器に関する。
【背景技術】
【０００２】
低分子の有機ＥＬ（Electro Luminescence）素子を用いた表示装置の構成（製法）として、２つの方式が知られている。一つは、蒸着マスクを用いて赤緑青の各色素子を画素ごとに塗り分けて赤緑青の各色画素を形成した、いわゆる「ＲＧＢ塗り分け方式」である。もう一つは、蒸着マスクを用いずに、白色素子を全面に形成し、その上に赤緑青の各色カラーフィルターを配置することにより、ＲＧＢの各色画素を形成した、「白色発光＋カラーフィルター方式」である。
例えば、大型テレビなどの大画面の表示装置を製造する場合には、「白色発光＋カラーフィルター方式」の方が適しているといわれている。これは、「ＲＧＢ塗り分け方式」で大型の表示装置を製造する場合には、蒸着マスクの大型化に伴い、寸法精度の劣化や熱膨張、マスク自重によるたわみなどが生じてしまい、塗り分け精度を確保することが難しいからである。
【０００３】
特許文献１には、「白色発光＋カラーフィルター方式」を採用した表示装置の一例が開示されている。当該表示装置では、白色光を得るために、各々が異なる色光を発する複数の発光層を積層し、各発光層が放つ色光を合成して略白色光としていた。複数の発光層としては、緑色、青緑、黄橙の色光をそれぞれ発光する３つの発光層を積層形成していた。
また、略白色光を得るための複数の発光層としては、例えば、光の３原色に対応したＲＧＢ各色の３つの発光層を積層する構成や、橙（オレンジ）色と、青色との２つの発光層を積層する構成などが知られていた。
【先行技術文献】
【特許文献】
【０００４】
【特許文献１】特開平１−３１５９８８号公報
【発明の概要】
【発明が解決しようとする課題】
【０００５】
しかし、複数の発光層を含む積層構造とした場合、低階調領域において、所期の発色が得られないという課題があった。これは、低輝度領域では、駆動電流が微小となり、電子と正孔とのキャリアバランスが崩れて、積層構造における特定の発光層が集中的に発光することになるため、合成された色光の色調に偏りが生じるからである。
この課題に対し、発明者らは、創意工夫を重ねた結果、定電流駆動時よりも高い駆動電流をパルス状に供給するパルス駆動によって、電子と正孔のキャリアバランスを取ることが可能となり、低階調領域においても所期の発色が得られることを見出した。
つまり、パルス駆動を採用することにより、低階調領域においても所期の略白色光が得られることを見出した。
【０００６】
しかしながら、更なる評価を重ねる中で、このパルス駆動を採用した場合、従来の定電流駆動に比べて、輝度寿命が短くなってしまうという課題も顕在化した。
図１８は、駆動方法ごとの輝度寿命を示したグラフであり、縦軸に輝度、横軸に経過時間を取っている。当該図に示すように、定電流駆動の輝度推移を示すグラフ９０よりも、パルス駆動の輝度推移を示すグラフ９１の方が常に輝度が低くなっており、発光寿命が短いことが解る。なお、パルス駆動の駆動条件は、定電流駆動における輝度と略同等の輝度が得られる高電流を１／１００デューティで供給した条件となっている。
つまり、低階調領域で所期の発色を得ることと、所期の発光寿命を確保することとを両立することは困難であるという課題があった。換言すれば、所期の発光寿命を確保しながら、低階調領域での色ズレを抑制することは困難であるという課題があった。
また、色ズレは、表示装置の周囲環境が明るい場合よりも、暗い場合の方が目立ち易いという課題もあった。このため、特に、環境照度が低い場合に、所期の発色が可能な表示装置が期待されていた。
【課題を解決するための手段】
【０００７】
本発明は、上記課題の少なくとも一部を解決するためになされたものであり、以下の適用例又は形態として実現することが可能である。
【０００８】
（適用例）
基板と、それぞれが異なる色光を発する複数の発光層と、赤、緑、青を含む複数色の色フィルターが配置されたカラーフィルターとを少なくとも有し、発光層の各々が放つ複数の色光を合成した略白色光をカラーフィルターを介して出射する有機ＥＬ表示装置であって、複数の発光層を含む積層構造に対して、画像信号に規定された表示の階調に応じた基準電流を１フレーム内において連続供給して表示を行う定電流駆動と、基準電流よりも高い電流を１フレーム内における所定の期間に供給して表示を行うパルス駆動と、を切替える駆動切替部を備え、駆動切替部は、階調が所定の階調以下のときにはパルス駆動を行い、階調が所定の階調より高いときには定電流駆動を行うことを特徴とする有機ＥＬ表示装置。
【０００９】
この有機ＥＬ表示装置によれば、定電流駆動とパルス駆動とを表示の階調に応じて切替える駆動切替部を備えている。駆動切替部は、所定の階調以下の低階調領域においてはパルス駆動を行い、それよりも高い中高階調領域では定電流駆動を行う。
特に、低階調領域ではパルス駆動により、基準電流よりも高い電流をパルス状に印加することにより、積層構造における電子と正孔とのキャリアバランスが取れるため、低階調領域においても所期の略白色光を得ることができる。換言すれば、基準電流よりも高い電流をパルス状に印加することにより、積層構造における複数の発光層間のエネルギーギャップを超えられるため、低階調領域においても所期の略白色光を得ることができる。
さらに、所定の階調より高い中高階調領域では、定電流駆動に切替えるため、発光層を含む積層構造への負荷が軽減されて、発光寿命を確保することができる。
よって、低階調領域ではパルス駆動により所期の発色が得られるとともに、中高階調領域では定電流駆動により発光寿命を確保することができる。
従って、低階調領域で所期の発色と、所期の発光寿命とを両立した有機ＥＬ表示装置を提供することができる。
換言すれば、所期の発光寿命を確保しながら、低階調領域での色ズレを抑制した有機ＥＬ表示装置を提供することができる。
【００１０】
また、所定の階調は、画像信号における１画面当りの平均輝度であり、有機ＥＬ表示装置の表示面における平均輝度で表した場合、平均輝度が３〜２０ｃｄ／ｃｍ2の範囲内に相当する階調であることが好ましい。
【００１１】
基板と、それぞれが異なる色光を発する複数の発光層と、赤、緑、青を含む複数色の色フィルターが配置されたカラーフィルターとを少なくとも有し、発光層の各々が放つ複数の色光を合成した略白色光をカラーフィルターを介して出射する有機ＥＬ表示装置であって、複数の発光層を含む積層構造に対して、画像信号に規定された表示の階調に応じた基準電流を１フレーム内において連続供給して表示を行う定電流駆動と、基準電流よりも高い電流を１フレーム内における所定の期間に供給して表示を行うパルス駆動と、を切替える駆動切替部と、有機ＥＬ表示装置が配置されている周囲の環境における照度を検出する照度検出部とを備え、駆動切替部は、照度検出部が検出した照度が所定の照度以下のときにはパルス駆動を行い、照度が所定の照度より高いときには定電流駆動を行うことを特徴とする有機ＥＬ表示装置。
【００１２】
また、所定の照度は、２００ｌｕｘ以下の照度であることが好ましい。
また、１フレームにおけるパルス駆動のデューティ比は、１／３〜１／５０の範囲内であることが好ましい。
また、パルス駆動における基準電流よりも高い電流は、基準電流と、デューティ比の逆数とを掛け合わせた値よりも大きいことが好ましい。
また、パルス駆動は、１フレームの期間長において、全ての走査線を順次走査する走査駆動を第１サブフィールドと、第２サブフィールドとの２回行うサブフィールド駆動により行われ、第１サブフィールドおよび第２サブフィールドの期間長は、デューティ比に応じて設定されており、第１サブフィールドにおいては、基準電流よりも高い電流を積層構造に供給し、第２サブフィールドにおいては、積層構造に電流を供給しないことが好ましい。
また、積層構造には、赤、緑、青色の各色に対応した発光層が含まれており、基板上に、積層構造と、カラーフィルターとが、この順番に形成されたトップエミッション型の構成を採用していることが好ましい。
【００１３】
上記記載の有機ＥＬ表示装置を備えたことを特徴とする電子機器。
【００１４】
基板と、それぞれが異なる色光を発する複数の発光層と、赤、緑、青を含む複数色の色フィルターが配置されたカラーフィルターとを少なくとも有し、発光層の各々が放つ複数の色光を合成した略白色光をカラーフィルターを介して出射する有機ＥＬ表示装置の駆動方法であって、画像信号に規定された表示の階調が所定の階調よりも高いときには、階調に応じた基準電流を１フレーム内において連続供給して定電流駆動を行い、階調が所定の階調以下のときには、基準電流よりも高い電流を１フレーム内における所定の期間に供給するパルス駆動を行うことを特徴とする有機ＥＬ表示装置の駆動方法。
【図面の簡単な説明】
【００１５】
【図１】実施形態１に係る表示装置の一態様を示す斜視図。
【図２】回路ブロック構成図。
【図３】画素回路図。
【図４】図１のｉ−ｉ断面における側断面図。
【図５】有機ＥＬ層の詳細な断面図。
【図６】（ａ）定電流駆動の電流波形図、（ｂ）パルス駆動の電流波形図。
【図７】垂直走査駆動のタイミングチャート図。
【図８】パルス駆動のタイミングチャート図。
【図９】駆動方法の流れを示したフローチャート図。
【図１０】実施形態２に係る表示装置の回路ブロック構成図。
【図１１】駆動方法の流れを示したフローチャート図。
【図１２】表示装置を搭載した電子機器としての車載メーターを示す平面図。
【図１３】変形例１に係る有機ＥＬ層の断面図。
【図１４】変形例２に係る駆動方法のタイミングチャート図。
【図１５】実施例Ａの評価結果一覧表。
【図１６】実施例Ａに係る色度図。
【図１７】実施例Ｂの評価結果一覧表。
【図１８】駆動方法ごとの輝度寿命を示したグラフ図。
【発明を実施するための形態】
【００１６】
以下、本発明の実施形態について、図面を参照して説明する。なお、以下の各図においては、各層や各部位を図面上で認識可能な程度の大きさとするため、各層や各部位の縮尺を実際とは異ならしめてある。
【００１７】
（実施形態１）
「表示装置の概要」
図１は、本実施形態に係る表示装置の一態様を示す斜視図である。
まず、本発明の実施形態１に係る有機ＥＬ表示装置としての表示装置１００の概要について説明する。
【００１８】
表示装置１００は、有機ＥＬ表示装置であり、表示パネル１８、フレキシブル基板２０などから構成されている。表示パネル１８は、素子基板１と対向基板１７との間に、発光層を含む機能層を挟持したトップエミッション型の有機ＥＬ表示パネルであり、対向基板１７側から表示光を出射する。
表示パネル１８は、マトリックス状に配置された複数の画素からなる表示領域Ｖを備えている。図１の右上に拡大して示すように、表示領域Ｖには、赤色（Ｒ）、緑色（Ｇ）、青色（Ｂ）の各色画素が周期的に配置されており、各画素が出射する表示光によりフルカラーの画像が表示される。なお、各画素は発光画素であるが、画素と称する。
表示領域Ｖは、縦長の長方形をなしており、図１を含む各図においては、当該縦方向をＹ軸方向とし、縦方向よりも短い横方向をＸ軸方向と定義している。また、表示パネル１８の厚さ方向をＺ軸方向としている。また、Ｙ軸（＋）、（−）方向を上下方向とし、Ｘ軸（＋）、（−）方向を左右方向としている。
【００１９】
詳しくは後述するが、表示装置１００は、素子基板１側にＲＧＢの各色光を発する各色発光層を積層し、各色発光層が放つ各色光を合成して略白色光を出射する複数の画素を備えるとともに、対向基板１７側に赤緑青の各色カラーフィルターを配置することにより、ＲＧＢの各色画素を形成した、「白色発光＋カラーフィルター方式」によるトップエミッション型の有機ＥＬ表示パネルである。
従来、このような複数の発光層を積層した積層発光層を用いた場合、低階調領域において、所期の発色が得られないという課題があった。また、これを解決するためにパルス駆動を行うと、輝度寿命が短くなってしまうという課題もあり、低階調領域における色ズレと、輝度寿命とを両立することが困難であった。
これに対して、表示装置１００によれば、後述するように、パルス駆動と定電流駆動とを表示輝度や、環境照度に応じて切替える構成を備えたこと、または両駆動方法を切替える駆動方法を採用したことにより、所期の発光寿命を確保しながら、低階調領域での色ズレを抑制することを実現している。
【００２０】
また、表示パネル１８において、素子基板１が対向基板１７から張出した張出し領域には、フレキシブル基板２０が接続されている。なお、フレキシブル基板とは、例えば、ポリイミドフィルムの基材に鉄箔の配線などが形成された柔軟性を有するフレキシブルプリント回路基板の略称である。また、フレキシブル基板２０には、前述の駆動方法を制御する駆動用ＩＣ（Integrated Circuit）２１が実装され、その端部には、専用のコントローラーや、外部機器（いずれも図示せず）と接続するための複数の端子が形成されている。
表示パネル１８は、フレキシブル基板２０を介して、外部機器から電力や画像信号を含む制御信号の供給を受けることにより、表示領域Ｖに画像や文字などを表示する。
【００２１】
「表示装置の回路ブロック構成」
図２は、表示装置の回路ブロック構成図である。
続いて、表示装置１００の回路ブロック構成について、図２を用いて説明する。
【００２２】
表示パネル１８を表示駆動するための回路ブロックは、駆動用ＩＣ２１、および表示パネル１８に配置されている。また、駆動用ＩＣ２１と表示パネル１８との間は、前述したように、フレキシブル基板２０を介して電気的に接続されている。
駆動用ＩＣ２１には、制御回路５０、駆動切替部５１などが形成されている。
制御回路５０は、ＣＰＵ（Central Processing Unit）であり、各部の動作を制御する。また、制御回路５０には、フラッシュメモリーなどの不揮発性のメモリーにより構成された記憶回路５６が附属している。
記憶回路５６には、パルス駆動、および定電流駆動を行うための順序と内容を規定したプログラムを含み、表示装置１００の動作を制御するための様々なプログラムおよび付随するデータが記憶されている。当該プログラムには、表示輝度や、環境照度に応じてパルス駆動と定電流駆動とを切替える駆動制御プログラムも含まれている。
また、付随するデータには、パルス駆動と定電流駆動とを切替える際の閾値（境界値）となる所定の階調値、所定の照度や、基準電流値と、パルス駆動におけるデューティ比ごとのパルス電流との相関関係を規定した相関テーブルなどが含まれている。
【００２３】
駆動切替部５１は、タイミング信号発生回路５２、表示データ処理回路５３、駆動電流生成回路５４、駆動電流出力回路５５などから構成されている。
タイミング信号発生回路５２は、外部装置（図示省略）から供給される画像信号Ｖideoの垂直同期信号Ｖｓ、水平同期信号Ｈｓおよびドットクロック信号Ｄclkに同期して表示パネル１８を制御するための各種のタイミング信号を生成する。
また、タイミング信号発生回路５２には、例えば、水晶振動子を含んだ発振回路からなるクロック発生回路５７が付属している。クロック発生回路５７は、各部の制御動作の基準となるクロック信号を生成してタイミング信号発生回路５２に出力する。
【００２４】
表示データ処理回路５３は、画像プロセッサーであり、フレームメモリー５８が附属している。表示データ処理回路５３は、外部装置から供給される画像信号Ｖideoを、制御回路５０の制御に従ってフレームメモリー５８に記憶した後、表示パネルのアスペクト比や、解像度に合せて階調データを読み出して駆動データ（デジタルデータ）を生成する、いわゆるスケーリング処理などの画像処理を行う。
また、制御回路５０は、フレームメモリー５８に書き込まれた画像信号Ｖideoの１画面当りの階調データを読み取り（測定し）、所定の階調としての表示の平均階調を演算する。
駆動電流生成回路５４は、例えば、カレントミラー回路などの直流電源回路を複数有しており、重み付けの異なる複数の電流を供給可能に形成されている。
駆動電流出力回路５５は、Ｄ／Ａコンバーターを内蔵しており、表示データ処理回路５３からのデジタル駆動データで表される階調を、駆動電流生成回路５４の複数の電流から選択または組合せて、当該階調に応じたアナログ電流である駆動電流ＩＬに変換して表示パネル１８に供給する。
【００２５】
表示パネル１８の表示領域Ｖの周縁部（額縁部）には、走査線駆動回路６０と、データ線駆動回路６１とが形成されている。なお、これらの回路を構成する回路素子は、後述する画素回路と同様に、低温ポリシリコンや、アモルファスシリコンを活性層として基板上に構成されている。
【００２６】
「画素回路」
図３は、画素回路の一態様を示す図である。
ここでは、図２および図３を用いて、表示パネル１８の画素の画素回路、および複数の画素の走査駆動の概要について説明する。
図１において表示領域Ｖにマトリックス状に配置された画素の各々には、図３に示すような画素回路が形成されている。
画素回路は、画素を選択するためのスイッチング用のトランジスター（Thin Film Transistor）Ｔｒ１と、複数の発光層を含む積層構造からなる有機ＥＬ層８に電流を流すための駆動用のトランジスターＴｒ２と、保持容量Ｃなどから構成されている。
トランジスターＴｒ１のゲート端子には、走査線駆動回路６０からの走査線ＳＬが接続されており、ソース端子には、データ線駆動回路６１からのデータ線ＤＬが接続されている。
トランジスターＴｒ１のドレイン端子には、トランジスターＴｒ２のゲート端子と、保持容量Ｃの一端が接続されている。
トランジスターＴｒ２のソース端子と、保持容量Ｃの他端とは、駆動電流出力回路５５からの駆動電流ＩＬの供給ラインに接続されている。そして、トランジスターＴｒ２のドレイン端子は、画素電極６（陽極）に接続されている。
また、画素電極６と、共通電極９との間には、有機ＥＬ層８が配置されている。また、共通電極９は、アースライン（陰極）に接続されている。
【００２７】
図２の走査線駆動回路６０は、シフトレジスターや出力バッファー（いずれも図示せず）を含んで構成され、タイミング信号発生回路５２からのタイミング信号に基づき、複数の走査線ＳＬに順次走査信号を供給する。
データ線駆動回路６１は、シフトレジスターやラッチ回路（いずれも図示せず）を含んで構成され、タイミング信号発生回路５２からのタイミング信号、およびデータ信号に基づき、複数のデータ線ＤＬにデータ信号を供給する。
図３において、走査信号によって選択されたトランジスターＴｒ１はオンし、データ信号がトランジスターＴｒ２に供給される。これにより、トランジスターＴｒ２がオンし、有機ＥＬ層８に駆動電流ＩＬが流れて発光する。また、トランジスターＴｒ２がオンするのと並行して、保持容量Ｃにデータ信号が保持されるため、容量に応じた時間（１フレーム相当の期間長）、発光が維持される。
なお、図３に示した画素回路に限定するものではなく、同様に駆動電流ＩＬによって、有機ＥＬ層８を点灯駆動可能な画素回路であれば良い。
【００２８】
「表示パネルの詳細な構成」
図４は、図１のｉ−ｉ断面における側断面図である。
続いて、表示パネル１８の詳細な構成について説明する。
表示パネル１８は、素子基板１、素子層２、平坦化層４、反射層５、画素電極６、隔壁７、有機ＥＬ層８、共通電極９、電極保護層１０、緩衝層１１、ガスバリア層１２、充填剤１３、ＣＦ層１４、対向基板１７などから構成されている。また、素子基板１と対向基板１７とに挟持された部位のことを機能層１６という。換言すれば、素子層２からＣＦ層１４までの積層構造を機能層１６という。
素子基板１は、無機ガラスから構成されている。本実施形態では、好適例として、無アルカリガラスを用いている。なお、この構成に限定するものではなく、樹脂基板を用いても良い。また、トップエミッション型であるため、光透過性が低い材料を用いても良く、例えば、金属基板を用いる構成であっても良い。
素子層２には、画素ごとに図３で説明した画素回路が形成されている。図４の断面では、トランジスターＴｒ２のみが示されている。なお、画素回路は、好適例として、活性層に低温ポリシリコンを用いているが、アモルファスシリコンを活性層として用いた構成であっても良い。
【００２９】
素子層２の上層（Ｚ軸（−）方向）には、例えば、アクリル樹脂などからなる絶縁層である平坦化層４が形成されている。
平坦化層４の上層には、画素ごとに区画されて、反射層５と、画素電極６とがこの順番で積層されている。
反射層５は、例えば、アルミニウムなどからなる反射層であり、有機ＥＬ層８から素子基板１側に向かう光を反射して、表示に寄与する光にする。
画素電極６は、ＩＴＯ（Indium Tin Oxide）や、ＺｎＯなどの透明電極から構成されており、画素ごとに素子層２のトランジスターＴｒ２のドレイン端子と平坦化層４を貫通するコンタクトホールにより接続されている。なお、本実施形態では、好適例として、反射層５と画素電極６との間に、ＳｉＯ2などの透明な無機材料からなる絶縁層を介在させているが、この構成に限定するものではなく、反射電極として機能する構成であれば良い。例えば、反射層５を省略して、画素電極６のみをアルミニウムなどの反射性の材料によって形成することであっても良い。または、無機絶縁層を介在させることなく、反射層５の上に、画素電極６を直接形成することであっても良い。
【００３０】
隔壁７は、光硬化性の黒色樹脂などから構成され、平面的に各画素を格子状に区画している。なお、素子層２におけるトランジスターＴｒ２を含む画素回路は、光による誤動作を防止するために、平面的に隔壁と重なるように配置されている。
有機ＥＬ層８は、画素電極６、および隔壁７を覆って一面に形成されている。また、図４では、有機ＥＬ層８を単層で示しているが、実際には、ＲＧＢの各色発光層を含む積層構造となっており、当該積層構造には、正孔注入層、中間層や、電子注入層なども含まれている。なお、積層構造の詳細については、後述する。
【００３１】
共通陰極としての共通電極９は、ＭｇＡｇなどの金属を、光を透過するようにごく薄く成膜した金属薄膜層であり、全画素に跨る有機ＥＬ層８を覆って形成されている。また、当該層を透過して光が出射されることになるため、その厚さは、光透過性を高めるために、例えば、１０〜２０ｎｍと極めて薄く形成されている。
電極保護層１０は、ＳｉＯ2や、Ｓｉ3Ｎ4、ＳｉＯｘＮｙなどの高密度で、かつ、透明性の高い材質から構成されており、共通電極９を覆って形成することにより、有機ＥＬ層８へ水分などが浸入することを防止している。
緩衝層１１は、熱硬化性のエポキシ樹脂などの透明な有機緩衝層である。
ガスバリア層１２は、電極保護層１０と同様な材質で構成されたガスバリア層であり、緩衝層１１をさらに覆って形成することにより、有機ＥＬ層８を含む内部の積層構造への水分などの浸入を防止している。
充填剤１３は、例えば、熱硬化性のエポキシ樹脂などからなる透明な接着層であり、ガスバリア層１２とＣＦ層１４との間の凹凸面に充填されるとともに、両者を接着する。また、表示パネル１８の周縁部から、有機ＥＬ層８を含む内部の積層構造への水分などの浸入を防ぐ機能も果たす。
【００３２】
対向基板１７は、透明な無機ガラスから構成されており、好適例として、無アルカリガラスを用いている。また、対向基板１７における有機ＥＬ層８側（Ｚ軸（＋）側）には、ＣＦ層１４が形成されている。
ＣＦ層１４には、赤色カラーフィルター１４ｒ、緑色カラーフィルター１４ｇ、青色カラーフィルター１４ｂが画素配置と同様に配置されている。詳しくは、各色のカラーフィルターは、それぞれが対応する画素電極６と重なるように配置されており、各カラーフィルター間には、ハッチングで示した遮光部が形成されている。遮光部は、平面的に隔壁７と重なるように格子状に形成されており、光学的には、ブラックマトリックスの機能を果たしている。
そして、対向基板１７と素子基板１とは、対向基板１７の周縁部に形成されたシール剤１５によって接着および封止されている。シール剤１５としては、エポキシ系の接着剤や、紫外線硬化樹脂などを用いる。
【００３３】
このように構成された各画素からは、カラーフィルターの色調に対応した表示光が出射される。例えば、赤色画素の場合、まず、有機ＥＬ層８において、各色発光層が放射するＲＧＢの各色光が合成されて略白色光となって、赤色カラーフィルター１４ｒに入射する。そして、赤色カラーフィルター１４ｒによって赤色光が選択されて、赤色の表示光として対向基板１７から出射される。また、緑色、青色の画素においても同様である。
これにより、表示領域Ｖでは、対向基板１７から出射される複数のカラー画素からの表示光によりフルカラーの画像が表示されることになる。
【００３４】
「有機ＥＬ層（積層構造）の詳細」
図５は、有機ＥＬ層の詳細な断面図である。なお、当該断面は、画素電極６上の断面を示している。
有機ＥＬ層８は、画素電極６上に、正孔注入層８１、正孔輸送層８２、赤色発光層８３、中間層８４、青色発光層８５、緑色発光層８６、電子輸送層８７、電子注入層８８が、この順に積層した積層構造となっている。また、電子注入層８８上には、共通電極９が形成されている。
正孔注入層８１は、好適例として、Ｎ，Ｎ’−ビス−（４−ジフェニルアミノ−フェニル）−Ｎ，Ｎ’−ジフェニル−ビフェニル−４−４’−ジアミンを真空蒸着法により蒸着させ、平均厚さ約２０ｎｍで形成する。
正孔輸送層８２は、好適例として、Ｎ，Ｎ’−ビス（１−ナフチル）−Ｎ，Ｎ’−ジフェニル〔１，１’−ビフェニル〕−４，４’−ジアミン（α−ＮＰＤ）を真空蒸着法により蒸着させ、平均厚さ約１０ｎｍで形成する。
【００３５】
赤色発光層８３は、好適例として、赤色発光層の構成材料を真空蒸着法により蒸着させ、平均厚さ約１０ｎｍで形成する。赤色発光層の構成材料としては、赤色発光材料（ゲスト材料）として、テトラアリールジインデノペリレン誘導体（ＲＤ−１）を用い、ホスト材料として、ルブレン誘導体（ＲＢ）を用いることが好ましい。また、赤色発光層中の発光材料（ドーパント）の含有量（ドープ濃度）は、約２．０ｗｔ％とすることが好ましい。
中間層８４は、好適例として、真空蒸着法を用いて、平均厚さ約１０ｎｍに形成する。中間層の構成材料としては、Ｎ，Ｎ’−ビス（１−ナフチル）−Ｎ，Ｎ’−ジフェニル〔１，１’−ビフェニル〕−４，４’−ジアミン（α−ＮＰＤ）と、アントラセン誘導体とを用い、中間層中の材料の使用割合を、重量比でα−ＮＰＤ：アントラセン誘導体＝１：１とすることが好ましい。
【００３６】
青色発光層８５は、好適例として、真空蒸着法により蒸着させ、平均厚さ約２０ｎｍに形成する。青色発光層の構成材料としては、ジスチリルジアミン系化合物を用い、ホスト材料としてアントラセン誘導体を用いることが好ましい。また、青色発光層中の青色発光材料（ドーパント）の含有量（ドープ濃度）は、約１０．０ｗｔ％とすることが好ましい。
緑色発光層８６は、好適例として、緑色発光層の構成材料を真空蒸着法により蒸着させ、平均厚さ約１０ｎｍで形成する。緑色発光層の構成材料としては、緑色発光材料（ゲスト材料）としてキナクリドン誘導体を用い、ホスト材料としてホスト材料としてアントラセン誘導体を用いることが好ましい。また、緑色発光層中の緑色発光材料（ドーパント）の含有量（ドープ濃度）は、約１０．０ｗｔ％とすることが好ましい。
【００３７】
電子輸送層８７は、好適例として、トリス（８−キノリノラト）アルミニウム（Ａｌｑ３）を真空蒸着法により成膜し、平均厚さ約１０ｎｍに形成する。
電子注入層８８は、好適例として、フッ化リチウム（ＬｉＦ）を真空蒸着法により成膜し、平均厚さ約１ｎｍに形成する。
なお、上述した好適例の構成（材料、厚さなど）に限定するものではなく、略白色光を合成可能な複数の発光層を含む積層構造を構成することができる材料、および厚さであれば良い。
【００３８】
「駆動方法の概要」
図６（ａ）、（ｂ）は駆動方法の概要を示す波形図であり、（ａ）は定電流駆動の電流波形を示し、（ｂ）はパルス駆動の電流波形を示している。また、縦軸は駆動電流、横軸は時間を取っている。
ここでは、本実施形態における駆動方法の概要について説明する。
【００３９】
表示装置１００では、表示の階調が所定の階調以下のときには、図６（ｂ）に示す「パルス駆動」を行い、表示の階調が所定の階調よりも高いときには、図６（ａ）に示す「定電流駆動」を行う。
ここで、表示の階調とは、画像信号に規定された１画面当りの平均階調を示している。また、所定の階調は、表示パネル１８の仕様に応じて定められた閾値であり、低輝度領域における１画面当りの平均階調（輝度）値である。例えば、前述した好適例の有機ＥＬ層８を備えた表示パネル１８の場合、当該パネルを平均輝度３〜２０ｃｄ／ｃｍ2の範囲内で表示駆動するための階調値となる。換言すれば、表示パネル１８を平均輝度３〜２０ｃｄ／ｃｍ2の範囲内における所定の輝度で、表示駆動するための階調データを指している。
【００４０】
図６（ａ）に示す「定電流駆動」は、１フレームの期間中、画像信号に規定された表示の階調に応じた基準電流Ｉｋを継続して供給する駆動方法である。
また、「パルス駆動」は、図６（ｂ）に示すように、１フレームの開始に伴い、基準電流Ｉｋよりも高い駆動電流Ｉｐを所定のデューティ比分パルス状に供給し、残りの期間は、電流を流さない駆動方法である。
ここで、１フレームにおけるパルス駆動のデューティ比は、低輝度領域における発色性と、輝度寿命を確保するために、１／３〜１／５０の範囲内であることが好ましく、１／１０〜１／５０の範囲内であることがより好ましい。また、駆動電流Ｉｐは、基準電流Ｉｋと、デューティ比の逆数とを掛け合わせた値よりも大きいことが好ましい。
なお、上述した平均輝度や、デューティ比などの数値は、発明者等が行った多くの実験結果から得られた実験データを解析および分析し、創意工夫の上、最適な数値を導出したものである。
【００４１】
「駆動方法の詳細」
図７は、垂直走査駆動のタイミングチャートである。
まず、「定電流駆動」の詳細について、図２も交えて説明する。
走査線駆動回路６０（図２）は、タイミング信号発生回路５２から供給される、走査線を順に選択するためのトリガーとなるスタート信号Ｄｙ、およびクロック信号Ｃlyに基づき、走査信号Ｇ１〜Ｇｍを順に生成して、走査線に順次出力する。なお、スタート信号Ｄｙは、垂直走査の開始タイミングを規定するスタートパルスであり、定電流駆動においては１フレームの期間の最初に１回供給され、１つの走査線は１フレームの期間において１回選択されることになる。
また、フレームとは、画像信号における１枚の画像を表示パネル１８に表示させる期間を指し、例えば、垂直同期信号Ｖｓの周波数が６０Ｈｚである場合、１フレームの期間長は、約１６．７ミリ秒となる。
【００４２】
最上段の走査線に供給される走査信号Ｇ１は、スタート信号Ｄｙが供給された後、クロック信号Ｃlyが最初に立ち上がってから半周期遅延したタイミングで出力される。そして、走査信号Ｇ１に続いて、順次走査信号Ｇ２〜Ｇｍが、クロック信号Ｃlyの論理レベルが変化する毎にクロック信号の半周期分の期間において順次Ｈレベルとなる。
このようにして、スタート信号Ｄｙの供給を契機として全ての走査線が順次選択されて、１垂直走査駆動が行われる。
また、データ線駆動回路６１（図２）からは、走査信号Ｇ１〜Ｇｍに同期したタイミングで、対応する各データ線にデータ信号が供給され、当該信号レベルが保持されている１フレームの期間に渡って、駆動電流出力回路５５から有機ＥＬ層８に駆動電流が供給されることになる。
なお、供給される駆動電流は、画素ごとに画像信号の階調に応じた基準電流Ｉｋとなる。例えば、前述した好適例における有機ＥＬ層８の積層構造の場合、画像信号の階調データが４００ｃｄ／ｍ2相当であるときに、基準電流Ｉｋを４００ｍＡ／ｃｍ2とする。
【００４３】
図８は、パルス駆動のタイミングチャートである。
続いて、「パルス駆動」の詳細について、図２も交えて説明する。
本実施形態では、好適例として、図８に示すように、１フレームを時間的に２つのサブフィールドに分けて、１フレーム期間内に２回の垂直走査駆動を行うサブフィールド駆動によって、パルス駆動を実現している。
詳しくは、１フレーム内において、スタートパルスを時系列に２回供給して、１つの走査線を１フレームの期間において２回選択する。
走査線駆動回路６０（図２）は、タイミングｔ１のスタート信号Ｄｙａをトリガーとして、タイミングｔ１からタイミングｔ２までの間で、走査信号Ｇ１〜Ｇｍを順に生成して出力し、走査線を順に選択する（第１フィールド）。
また、データ線駆動回路６１（図２）からは、走査信号Ｇ１〜Ｇｍに同期したタイミングで、対応する各データ線にデータ信号が供給されて、駆動電流出力回路５５から有機ＥＬ層８に駆動電流が供給される。
ここで、駆動電流は、画素ごとに画像信号の階調に応じた基準電流Ｉｋよりも高い駆動電流Ｉｐが供給されることになる。詳しくは、駆動電流Ｉｐは、パルス駆動のデューティ比の逆数と、基準電流Ｉｋとを掛け合わせた値よりも大きい電流となる。
例えば、前述した好適例における有機ＥＬ層８の積層構造において、基準電流Ｉｋが４００ｍＡ／ｃｍ2であり、デューティ比が１／５であった場合、駆動電流Ｉｐは、４００ｍＡ／ｃｍ2×５＝２，０００ｍＡ／ｃｍ2よりも大きい２，４００ｍＡ／ｃｍ2とする。
【００４４】
続いて、第１フィールドと同様に、タイミングｔ２のスタート信号Ｄｙｂをトリガーとして、タイミングｔ２からタイミングｔ３までの間で、走査信号Ｇ１〜Ｇｍを順に生成して出力し、走査線を順に選択する（第２フィールド）。なお、タイミングｔ２は、１フレームの期間長におけるパルス駆動のデューティ比分経過したタイミングとなっている。
例えば、１フレームの期間長が約１６．７ミリ秒であり、デューティ比が１／５であった場合、タイミングｔ２は、タイミングｔ１から約３．３４ミリ秒後に出力される。
また、第２フィールドにおいても、走査信号Ｇ１〜Ｇｍに同期したタイミングで、各データ線にデータ信号が供給され、有機ＥＬ層８に駆動電流が供給されるが、駆動電流をゼロとしている。換言すれば、第２フィールドにおいては、全画素の有機ＥＬ層８に駆動電流を供給せずに、強制的に消灯状態にする。
また、継続する各フレームにおいても、同様に、第１および第２フィールドからなるサブフィールド駆動を行う。
このようにして、図６（ｂ）に示す「パルス駆動」が実現される。
【００４５】
「駆動方法の流れ」
図９は、駆動方法の流れを示したフローチャートである。
ここでは、前述した「定電流駆動」と「パルス駆動」との切替えを含む駆動方法の流れについて、図２を交えて説明する。なお、以下のフローは、記憶回路５６の駆動制御プログラムに基づいて、制御回路５０が駆動切替部５１を含む各部を制御することにより実行される。
【００４６】
ステップＳ１では、入力された画像信号の１画面当りの階調データを測定する（読み取る）。詳しくは、フレームメモリー５８に書き込まれた画像信号の１画面当りの階調データを測定する。
ステップＳ２では、測定した階調データから、表示の階調としての表示の平均階調値を演算して導出する。
ステップＳ３では、導出した平均階調値（表示の階調）が記憶回路５６に記憶されている所定の階調値以下であるか判断する。所定の階調値以下であった場合には、ステップＳ４に進む。所定の階調値より大きい場合には、ステップＳ５に進む。
ステップＳ４では、「パルス駆動」を行う。詳しくは、図８で説明したように、駆動切替部５１からスタートパルスが時系列に２回供給されて、１つの走査線を１フレームの期間において２回選択するサブフィールド駆動が行われる。
ステップＳ５では、「定電流駆動」を行う。詳しくは、図７で説明したように、駆動切替部５１から１フレームの期間の最初に１回スタートパルスが供給され、１フレームの期間に渡って、一定の駆動電流（基準電流）が供給される。
なお、このフローは、表示パネル１８が表示駆動されている間、常時実行されている。換言すれば、記憶回路５６の駆動制御プログラムは常駐しており、常時、平均階調値に応じて、「定電流駆動」と「パルス駆動」との切替えを行っている。
【００４７】
上述した通り、本実施形態に係る表示装置１００、および駆動方法によれば、以下の効果を得ることができる。
表示装置１００は、パルス駆動と定電流駆動とを表示の階調に応じて切替える駆動切替部５１を備えている。駆動切替部５１は、所定の階調以下の低階調領域においてはパルス駆動を行い、それよりも高い中高階調領域では定電流駆動を行う。換言すれば、低階調領域においてはインパルス型の駆動を行い、それよりも高い中高階調領域ではホールド型の駆動を行う。
特に、低階調領域ではパルス駆動により、パルスの振幅が基準電流Ｉｋよりも高く、パルス駆動のデューティ比の逆数と基準電流Ｉｋとを掛け合わせた値よりも大きい駆動電流Ｉｐが有機ＥＬ層８に供給される。
この駆動電流Ｉｐは、有機ＥＬ層８における複数の発光層間のエネルギーギャップを超えられるため、低階調領域においても所期の略白色光を得ることができる。換言すれば、インパルス型の駆動としたことにより、積層構造における電子と正孔とのキャリアバランスが取れるため、低階調領域においても所期の略白色光を得ることができる。また、人間の目には、網膜の残像（積分）効果によって、画素信号に規定された表示の階調の明るさに感じられる。
よって、低階調領域において略白色光が得られることから、カラーフィルターを介して所期の発色を得ることができる。
【００４８】
さらに、所定の階調より大きな中高階調領域では、定電流駆動に切替えるため、有機ＥＬ層８への負荷が軽減されて、発光寿命を確保することができる。
従って、低階調領域で所期の発色と、所期の発光寿命とを両立した表示装置１００を提供することができる。換言すれば、所期の発光寿命を確保しながら、低階調領域での色ズレを抑制した表示装置１００を提供することができる。
【００４９】
また、本実施形態の駆動方法によれば、１フレームにおけるパルス駆動のデューティ比を、１／３〜１／５０の範囲内か、より好ましくは、１／１０〜１／５０の範囲内としている。
これにより、後述する実施例（図１５，１６）からも明らかなように、低輝度領域における発色性と、輝度寿命とをバランス良く確保することができる。
従って、低階調領域で所期の発色と、所期の発光寿命とを両立した表示装置の駆動方法を提供することができる。換言すれば、所期の発光寿命を確保しながら、低階調領域での色ズレを抑制した表示装置の駆動方法を提供することができる。
【００５０】
また、表示装置１００は、大型化が容易な「白色発光＋カラーフィルター方式」、かつ、トップエミッション型の構成を採用している。
よって、画素回路を含む素子層２が形成された素子基板１側から光を取り出すボトムエミッション型よりも、画素開口率を大きくすることができる。
従って、汎用性が高く、明るい表示が得られる表示装置１００を提供することができる。
【００５１】
（実施形態２）
図１０は、実施形態２に係る表示装置の回路ブロック構成図であり、図２に対応している。
以下、本発明の実施形態２に係る表示装置１１０について説明する。なお、実施形態１と同一の構成部位については、同一の番号を附し、重複する説明は省略する。
【００５２】
実施形態２の表示装置１１０は、表示パネル１８が配置されている周囲の環境における照度を検出し、その環境照度が所定の照度以下のときには「パルス駆動」を行い、所定の照度より高いときには「定電流駆動」を行う。
このため、表示装置１１０は、実施形態１の表示装置の構成に加えて、照度検出部７０を備えている。詳しくは、制御回路５０に照度検出部７０が接続されている。
照度検出部７０は、Ａ／Ｄコンバーターを内蔵した検出回路であり、光センサー７１が付属している。光センサー７１は、フォトダイオードであり、図示は省略しているが、表示パネル１８の表示領域Ｖの周縁部（額縁部）に外光を検出可能に配置されている。なお、光センサー７１は、環境の輝度を検出可能なセンサーであれば良く、例えば、フォトトランジスターや、Ｃｄｓセルであっても良い。
照度検出部７０は、光センサー７１が検出したアナログ検出データを、符号化した輝度データとして制御回路５０に送信する。
【００５３】
ここで、「パルス駆動」と「定電流駆動」とを切替える閾値となる所定の照度は、好適例として、２００ｌｕｘ以下の照度に設定されている。また、より好ましくは、１５０ｌｕｘ以下に設定する。
これは、周囲環境が明るい場合よりも、暗い場合の方が「色ズレ」現象が目立ち易いため、環境照度が２００ｌｕｘ以下の低い場合に「パルス駆動」を行うことにより、色ズレを抑制するためである。
【００５４】
「駆動方法の流れ」
図１１は、本実施形態に係る駆動方法の流れを示したフローチャートである。
ここでは、環境照度に応じて、「定電流駆動」と「パルス駆動」とを切替える駆動方法の流れについて、図１０を交えて説明する。なお、以下のフローは、記憶回路５６の駆動制御プログラムに基づいて、制御回路５０が駆動切替部５１を含む各部を制御することにより実行される。
【００５５】
ステップＳ１１では、表示パネル１８が配置されている周囲環境の照度を検出する。詳しくは、照度検出部７０を用いて、光センサー７１の周囲環境の照度を検出する。
ステップＳ１２では、検出した照度が記憶回路５６に記憶されている所定の照度値以下であるか判断する。所定の照度値以下であった場合には、ステップＳ１３に進む。所定の照度値より大きい場合には、ステップＳ１４に進む。なお、所定の照度は、１５０ｌｕｘとしている。
ステップＳ１３では、「パルス駆動」を行う。詳しくは、図８で説明したように、駆動切替部５１からスタートパルスが時系列に２回供給されて、１つの走査線を１フレームの期間において２回選択するサブフィールド駆動が行われる。
ステップＳ１４では、「定電流駆動」を行う。詳しくは、図７で説明したように、駆動切替部５１から１フレームの期間の最初に１回スタートパルスが供給され、１フレームの期間に渡って、一定の駆動電流（基準電流）が供給される。
なお、このフローは、表示パネル１８が表示駆動されている間、常時実行されている。換言すれば、記憶回路５６の駆動制御プログラムは常駐しており、常時、周囲の環境照度に応じて、「定電流駆動」と「パルス駆動」との切替えを行っている。
【００５６】
上述した通り、本実施形態によれば、実施形態１における効果に加えて、以下の効果を得ることができる。
表示装置１１０によれば、照度検出部７０および駆動切替部５１により、環境照度が所定の照度以下のときには「パルス駆動」を行い、所定の照度より高いときには「定電流駆動」を行う。換言すれば、環境照度が暗い（所定の照度以下の）ときにはインパルス型の駆動を行い、それよりも環境照度が明るいときにはホールド型の駆動を行う。
よって、環境照度が所定の照度以下で「色ズレ」現象が目立ち易い暗い環境下において、「パルス駆動」を行うことにより、色ズレを抑制することができる。換言すれば、暗い環境下においても、略白色光が得られることから、カラーフィルターを介して所期の発色を得ることができる。
【００５７】
さらに、所定の照度よりも環境照度が明るいときには、定電流駆動に切替えるため、有機ＥＬ層８への負荷が軽減されて、発光寿命を確保することができる。
従って、環境照度が低い場合における所期の発色と、発光寿命とを両立した表示装置１１０を提供することができる。換言すれば、所期の発光寿命を確保しながら、環境照度が低い場合における色ズレを抑制した表示装置１１０を提供することができる。
【００５８】
（電子機器）
図１２は、上記表示装置を搭載した車載メーターを示す平面図である。
上述の実施形態２に係る表示装置１１０は、例えば、電子機器としての自動車用の車載メーター２００に搭載して用いることができる。
車載メーター２００は、横に並べた３枚の表示装置１１０を備えている。詳しくは、左から表示装置２１１、表示装置２１２、表示装置２１３の順番で配置されている。なお、表示装置の外形を点線で示している。
真ん中に位置する表示装置２１２は、左右の表示装置２１１，２１３よりも一回り大きいパネルサイズとなっており、この３枚の表示装置によって、ダッシュボードの開口部２１５から露出する１つの車載メーターを構成している。換言すれば、底辺を直線でカットした横長で楕円形状の開口部２１５から露出する１つの車載メーターを表示装置２１１，２１２，２１３の３枚の表示装置を横方向に並べて構成している。
【００５９】
左側の表示装置２１１には、例えば、燃料計、水温計などが表示される。
中央の表示装置２１２には、例えば、速度計や、方向指示器などが表示される。
右側の表示装置２１３には、例えば、回転計などが表示される。なお、図１２では、アナログ表示をしている状態を示しているが、不図示のスイッチを操作することにより、デジタル表示とすることもできる。また、３枚構成に限定するものではなく、横長（Ｘ軸方向）に長い長方形からなる１枚の表示パネルで構成しても良い。
表示装置２１１，２１２，２１３は、共に照度検出部７０および駆動切替部５１を備えているため、車載メーター２００は、所期の発光寿命を確保しながら、環境照度が低い場合における色ズレを抑制することができる。特に、夜間における車中では、メーター以外に光源が存在しない場合が多いため、より「色ズレ」が目立つ傾向であったが、車載メーター２００によれば、暗い環境下で、かつ、低輝度領域の表示であっても所期の発色の表示を行うことができる。
従って、環境照度が低い場合における所期の発色と、発光寿命とを両立した車載メーター２００を提供することができる。
【００６０】
また、車載メーター２００と、自動車の電気システムとを連動させても良い。
具体的には、自動車のヘッドライトのオン／オフと、「定電流駆動」／「パルス駆動」とを連動させる。この場合、図１０の制御回路５０に自動車のヘッドライトの操作スイッチの出力信号を入力し、当該信号がオンのときには「定電流駆動」を行い、当該信号がオフのときには「パルス駆動」を行うように制御する。
通常、自動車のヘッドライトは、周囲が暗い場合や、夜間に点灯されるため、ヘッドライトの操作スイッチの出力信号によっても、照度検出部７０の機能と同様な作用を得ることができる。
従って、環境照度が低い場合における所期の発色と、発光寿命とを両立した車載メーター２００を提供することができる。
なお、表示装置１１０の替りに表示装置１００を用いても良い。また、これらを組み合わせて用いても良い。この構成であっても、同様な作用効果を得ることができる。
【００６１】
また、車載メーター２００に限定するものではなく、表示部を備えた電子機器であれば良く、例えば、モニターや、ノート型パソコンに適用しても良い。また、携帯電話や、カーナビゲーションシステム用の表示装置、ＰＤＡ（Personal Digital Assistants）、モバイルコンピューター、デジタルカメラ、デジタルビデオカメラ、車載機器、オーディオ機器などの各種電子機器に用いることができる。
これらの電子機器であっても、同様な作用効果を得ることができる。
【００６２】
なお、本発明は上述した実施形態に限定されず、上述した実施形態に種々の変更や改良などを加えることが可能である。変形例を以下に述べる。
【００６３】
（変形例１）
図１３は、変形例１に係る有機ＥＬ層の断面図であり、図５に対応している。
上記各実施形態においては、有機ＥＬ層を構成する積層構造は、ＲＧＢに対応した３層の発光層を備えるものとして説明したが、この構成に限定するものではなく、略白色光を合成可能な複数の発光層を含む積層構造であれば良い。
例えば、図１３に示す、有機ＥＬ層９８のように２層の発光層を含む積層構造であっても良い。なお、実施形態１と同一の構成部位については、同一の番号を附し、重複する説明は省略する。
【００６４】
有機ＥＬ層９８は、画素電極６上に、正孔注入層８１、正孔輸送層８２、オレンジ色発光層９１、青色発光層９２、電子輸送層８７、電子注入層８８が、この順に積層した積層構造となっている。また、電子注入層８８上には、共通電極９が形成されている。
オレンジ色発光層９１は、好適例として、オレンジ色発光層の構成材料を真空蒸着法により蒸着させて形成する。オレンジ色発光層の構成材料としては、オレンジ色発光材料（ゲスト材料）として、テトラアリールジインデノペリレン誘導体（ＲＤ−１）を用い、ホスト材料として、Ｎ，Ｎ’−ビス（１−ナフチル）−Ｎ，Ｎ’−ジフェニル〔１，１’−ビフェニル〕−４，４’−ジアミン（α−ＮＰＤ）を用いることが好ましい。また、ＢＨ−１４０（登録商標）をアシストドーパントすることが好ましい。
青色発光層９２は、好適例として、青色発光層の構成材料を真空蒸着法により蒸着させて形成する。青色発光層の構成材料としては、ゲスト材料としてＢＤ−１０２（登録商標）を用い、ホスト材料としてＥＫ−１０９（登録商標）を用いることが好ましい。また、α−ＮＰＤ（登録商標）をアシストドーパントすることが好ましい。
【００６５】
この積層構造であっても、上記各実施形態の構成、および駆動方法を適用することが可能であり、同様な作用効果を得ることができる。
従って、低階調領域で所期の発色と、所期の発光寿命とを両立した表示装置を提供することができる。また、環境照度が低い場合における所期の発色と、発光寿命とを両立した表示装置を提供することができる。
なお、上述した好適例の構成および材料に限定するものではなく、略白色光を合成可能な複数の発光層を含む積層構造を形成することができる構成および材料であれば良い。例えば、各発光層間に中間電荷発生層を挟んで配置した構成、いわゆるタンデム型有機ＥＬ層構成であっても良い。
【００６６】
（変形例２）
図１４は、変形例２に係る駆動方法のタイミングチャートであり、図６（ａ）および図８に対応している。
上記各実施形態においては、定電流駆動を１フレームにおける１垂直走査駆動によって行うものとして説明したが、この方法に限定するものではなく、サブフィールド駆動によって、定電流駆動を行っても良い。なお、実施形態１と同一の説明については、同一の記号を附し、重複する説明は省略する。
例えば、図１４に示すように、１フレームを時間的に２つのサブフィールドに分けて、１フレーム期間内に２回の垂直走査駆動を行うサブフィールド駆動によって、定電流駆動を実現しても良い。
詳しくは、タイミングｔ１のスタート信号Ｄｙａをトリガーとした第１フィールド、およびタイミングｔ２のスタート信号Ｄｙｂをトリガーとした第２フィールドにおいて、共に駆動電流として基準電流Ｉｋを供給する。
【００６７】
この駆動方法によっても、１フレームの期間に渡って、基準電流Ｉｋが供給されることになるため、図６（ａ）の「定電流駆動」を実現することができる。
従って、低階調領域で所期の発色と、所期の発光寿命とを両立した表示装置の駆動方法を提供することができる。さらに、「パルス駆動」に加えて「定電流駆動」も、同一タイミングで制御するサブフィールド駆動によって行うことができるため、駆動制御がシンプルになり、誤動作の発生頻度を抑制することができる。
【００６８】
（変形例３）
図４を用いて説明する。
上記各実施形態においては、表示装置の構成をトップエミッション型であるものとして説明したが、この構成に限定するものではなく、ボトムエミッション型の構成であっても良い。
この場合、反射層５を削除し、共通電極９を反射電極とする。また、ＣＦ層１４を素子基板１のＺ軸（＋）側に形成する。これにより、素子基板１側から光を取り出すボトムエミッション型の表示装置を構成することができる。
この構成であっても、複数の発光層を含む積層構造を備えた「白色発光＋カラーフィルター方式」の表示装置であるため、上記各実施形態の構成、および駆動方法を適用することが可能であり、同様な作用効果を得ることができる。
【実施例】
【００６９】
（実施例Ａ）
「実施形態１の積層構造による駆動結果」
図１５は、実施形態１の積層構造を備えた表示パネル１８を用いて、定電流駆動、および複数のデューティ比によるパルス駆動を複数の階調ごとに行ったときの色度の変化を一覧にした表である。
まず、実験に用いた表示パネル１８は、有機ＥＬ層８の構成を実施形態１の好適例で説明したＲＧＢの３層の発光層を含む積層構造とした。また、カラーフィルターは形成せずに、対向基板１７から有機ＥＬ層８が放つ光を直接測定可能な状態の表示パネル（評価用パネル）を用いた。
【００７０】
比較例１として、表示の階調に対応した各階調において、評価用パネルを定電流駆動した場合の色度データを測定した。
詳しくは、表示の階調として表示パネルの表示面で４１０ｃｄ／ｍ2相当の輝度を得るために、基準電流Ｉｋとして、４００ｍＡ／ｃｍ2の駆動電流を供給して直流駆動をしたときの輝度、および色度データを図１５の左上に示している。
このときの輝度（階調）は、表示面で４１５ｃｄ／ｍ2であり、色度は、（ｘ，ｙ）＝（0.31，0.31）と、所期の白色光が得られていた。
また、同様に、表示パネルの表示面で４０ｃｄ／ｍ2相当の輝度を得るために、必要な基準電流を供給して直流駆動をしたときの輝度、および色度データが右隣のデータである。このときの輝度は、表示面で３８ｃｄ／ｍ2であり、色度は、（ｘ，ｙ）＝（0.34，0.34）と、略所期の白色光が得られていたが、色度が若干変化していることが解る。
【００７１】
同様に、表示パネルの表示面で４ｃｄ／ｍ2相当の輝度を得るために、必要な基準電流を供給して直流駆動をしたときの輝度、および色度データが右隣のデータである。このときの輝度は、表示面で３．５８ｃｄ／ｍ2であり、色度は、（ｘ，ｙ）＝（0.42，0.37）と、色度がさらに変化し、赤み掛かってきていることが解る。
同様に、表示パネルの表示面で０．３ｃｄ／ｍ2相当の輝度を得るために、必要な基準電流を供給して直流駆動をしたときの輝度、および色度データが右隣のデータである。このときの輝度は、表示面で０．２３ｃｄ／ｍ2であり、色度は、（ｘ，ｙ）＝（0.50，0.41）と、さらに赤み掛かってきていることが解る。
最後に、表示パネルの表示面で０．０１ｃｄ／ｍ2相当の輝度を得るために、必要な基準電流を供給して直流駆動をしたときの輝度、および色度データが右隣のデータである。このときの輝度は、表示面で０．０１ｃｄ／ｍ2であり、色度は、（ｘ，ｙ）＝（0.53，0.41）であった。
【００７２】
図１６は、色度図である。
図１６において、グラフ９５（×の分布）は、上述した比較例１の色度変化を示しており、表示面で３８ｃｄ／ｍ2以下の低輝度領域になると、有機ＥＬ層８の発光色に「色ズレ」が生じて、赤み掛かった色光になることが解る。
【００７３】
図１５に戻る。
また、図１５の右上には、基準電流Ｉｋとして、４００ｍＡ／ｃｍ2の駆動電流を供給して直流駆動をしたときの輝度寿命が示されている。具体的には、輝度寿命を輝度が初期輝度の８０％になるまでの時間で示しており、直流駆動では約４００時間であった。
【００７４】
比較例２として、比較例１と同じ各階調において、評価用パネルをデューティ比１／２でパルス駆動した場合の色度データを測定した。
詳しくは、表示の階調として表示パネルの表示面で４１０ｃｄ／ｍ2相当の輝度を得るために、駆動電流Ｉｐとして、８００ｍＡ／ｃｍ2の駆動電流を１／２フレームの期間長供給してパルス駆動をしたときの輝度、および色度データを比較例１の下段に示している。このときの輝度（階調）は、表示面で４１４ｃｄ／ｍ2であり、色度は、（ｘ，ｙ）＝（0.31，0.31）と、所期の白色光が得られていた。
以下、比較例１と同じ各階調において色度データを測定しているが、比較例１と略同じ変化推移であり、低輝度領域になると、発光色に「色ズレ」が生じて、赤み掛かった色光になることが解る。
また、デューティ比１／２でパルス駆動した場合の輝度寿命は、約４００時間であり、定電流駆動との差は認められなかった。
【００７５】
実施例１として、比較例１と同じ各階調において、評価用パネルをデューティ比１／３でパルス駆動した場合の色度データを測定した。
詳しくは、表示の階調として表示パネルの表示面で４１０ｃｄ／ｍ2相当の輝度を得るために、駆動電流Ｉｐとして、１，６００ｍＡ／ｃｍ2の駆動電流を１／３フレームの期間長供給してパルス駆動をしたときの輝度、および色度データを比較例２の下段に示している。このときの輝度（階調）は、表示面で４１７ｃｄ／ｍ2であり、色度は、（ｘ，ｙ）＝（0.31，0.31）と、所期の白色光が得られていた。
また、以下、比較例１と同じ各階調において色度データを測定しているが、各階調における色ズレ度合いは、比較例２よりも小さく、最も低い０．０１ｃｄ／ｍ2における色度は、（ｘ，ｙ）＝（0.37，0.35）であり、略所定の白色光が得られていることが解る。
また、デューティ比１／３でパルス駆動した場合の輝度寿命は、約４００時間であり、定電流駆動との差は認められなかった。
【００７６】
実施例２として、比較例１と同じ各階調において、評価用パネルをデューティ比１／５でパルス駆動した場合の色度データを測定した。
詳しくは、表示の階調として表示パネルの表示面で４１０ｃｄ／ｍ2相当の輝度を得るために、駆動電流Ｉｐとして、２，４００ｍＡ／ｃｍ2の駆動電流を１／５フレームの期間長供給してパルス駆動をしたときの輝度、および色度データを実施例１の下段に示している。このときの輝度（階調）は、表示面で４１６ｃｄ／ｍ2であり、色度は、（ｘ，ｙ）＝（0.31，0.31）と、所期の白色光が得られていた。
また、以下、比較例１と同じ各階調において色度データを測定しているが、各階調における色ズレ度合いは、実施例１と同等、または以下であり、特に、最も低い０．０１ｃｄ／ｍ2における色度は、（ｘ，ｙ）＝（0.34，0.33）と、実施例１よりも白色度が高いことが解る。
また、デューティ比１／５でパルス駆動した場合の輝度寿命は、約３９５時間であり、定電流駆動との差は殆ど認められなかった。
【００７７】
図１６に戻る。
図１６において、グラフ９６（○の分布）は、上述した実施例２の色度変化を示しており、低輝度領域においても、色ズレが抑制されていることが解る。
【００７８】
実施例３として、比較例１と同じ各階調において、評価用パネルをデューティ比１／１０でパルス駆動した場合の色度データを測定した。
詳しくは、表示の階調として表示パネルの表示面で４１０ｃｄ／ｍ2相当の輝度を得るために、駆動電流Ｉｐとして、４，４００ｍＡ／ｃｍ2の駆動電流を１／１０フレームの期間長供給してパルス駆動をしたときの輝度、および色度データを実施例２の下段に示している。このときの輝度（階調）は、表示面で４１８ｃｄ／ｍ2であり、色度は、（ｘ，ｙ）＝（0.31，0.31）と、所期の白色光が得られていた。
また、以下、比較例１と同じ各階調において色度データを測定しているが、各階調における色ズレ度合いは、実施例１と同等、または以下であり、特に、最も低い０．０１ｃｄ／ｍ2における色度は、（ｘ，ｙ）＝（0.32，0.31）と、実施例１、および実施例２よりも白色度が高いことが解る。
また、デューティ比１／１０でパルス駆動した場合の輝度寿命は、約３９０時間であり、定電流駆動との差は然程認められなかった。
【００７９】
実施例４として、比較例１と同じ各階調において、評価用パネルをデューティ比１／５０でパルス駆動した場合の色度データを測定した。
詳しくは、表示の階調として表示パネルの表示面で４１０ｃｄ／ｍ2相当の輝度を得るために、駆動電流Ｉｐとして、２０，４００ｍＡ／ｃｍ2の駆動電流を１／５０フレームの期間長供給してパルス駆動をしたときの輝度、および色度データを実施例３の下段に示している。このときの輝度（階調）は、表示面で４１７ｃｄ／ｍ2であり、色度は、（ｘ，ｙ）＝（0.31，0.31）と、所期の白色光が得られていた。
また、以下、比較例１と同じ各階調において色度データを測定しているが、全ての階調における色度は、（ｘ，ｙ）＝（0.31，0.31）で共通であり、色ズレの発生は認められなかった。
また、デューティ比１／５０でパルス駆動した場合の輝度寿命は、約３９０時間であり、定電流駆動との差は然程認められなかった。
【００８０】
比較例３として、比較例１と同じ各階調において、評価用パネルをデューティ比１／１００でパルス駆動した場合の色度データを測定した。
詳しくは、表示の階調として表示パネルの表示面で４１０ｃｄ／ｍ2相当の輝度を得るために、駆動電流Ｉｐとして、４０，４００ｍＡ／ｃｍ2の駆動電流を１／１００フレームの期間長供給してパルス駆動をしたときの輝度、および色度データを実施例４の下段に示している。このときの輝度（階調）は、表示面で４１４ｃｄ／ｍ2であり、色度は、（ｘ，ｙ）＝（0.31，0.32）と、所期の白色光が得られていた。
また、以下、比較例１と同じ各階調において色度データを測定しているが、全ての階調における色度は、略同一であり、色ズレの発生は認められなかった。
しかし、デューティ比１／１００でパルス駆動した場合の輝度寿命は、約２２０時間であり、定電流駆動の半分程度の寿命となっていることが解る。
【００８１】
比較例４として、比較例１と同じ各階調において、評価用パネルをデューティ比１／５００でパルス駆動した場合の色度データを測定した。
詳しくは、表示の階調として表示パネルの表示面で４１０ｃｄ／ｍ2相当の輝度を得るために、駆動電流Ｉｐとして、２００，４００ｍＡ／ｃｍ2の駆動電流を１／５００フレームの期間長供給してパルス駆動をしたときの輝度、および色度データを最下段に示している。このときの輝度（階調）は、表示面で４１８ｃｄ／ｍ2であり、色度は、（ｘ，ｙ）＝（0.31，0.32）と、所期の白色光が得られていた。
また、以下、比較例１と同じ各階調において色度データを測定しているが、全ての階調における色度は、略同一であり、色ズレの発生は認められなかった。
しかし、デューティ比１／５００でパルス駆動した場合の輝度寿命は、約１００時間であり、定電流駆動の１/４程度の寿命となっていることが解る。
【００８２】
（実施例Ｂ）
「変形例１の積層構造による駆動結果」
図１７は、変形例１の積層構造を備えた表示パネル１８を用いて、定電流駆動、および複数のデューティ比によるパルス駆動を複数の階調ごとに行ったときの色度の変化を一覧にした表であり、図１５に対応している。なお、実施例Ａと重複する説明は省略する。
まず、実験に用いた表示パネル１８は、有機ＥＬ層８の構成を変形例１の好適例で説明したオレンジ色、青色の２層の発光層を含む積層構造とした。また、カラーフィルターは形成せずに、対向基板１７から有機ＥＬ層８が放つ光を直接測定可能な状態の表示パネル（評価用パネル）を用いた。
【００８３】
比較例１として、表示の階調に対応した各階調において、評価用パネルを定電流駆動した場合の色度データを測定した。
詳しくは、表示の階調として表示パネルの表示面で４７０ｃｄ／ｍ2相当の輝度を得るために、基準電流Ｉｋとして、４００ｍＡ／ｃｍ2の駆動電流を供給して直流駆動をしたときの輝度、および色度データを図１７の左上に示している。
このときの輝度（階調）は、表示面で４７０ｃｄ／ｍ2であり、色度は、（ｘ，ｙ）＝（0.29，0.32）と、略所期の白色光が得られていた。
また、同様に、表示パネルの表示面で４５ｃｄ／ｍ2相当の輝度を得るために、必要な基準電流を供給して直流駆動をしたときの輝度、および色度データが右隣のデータである。このときの輝度は、表示面で４５ｃｄ／ｍ2であり、色度は、（ｘ，ｙ）＝（0.36，0.35）と、色度が若干変化していることが解る。
また、以下同様に、表示面で４．２ｃｄ／ｍ2、０．３ｃｄ／ｍ2、０．０１ｃｄ／ｍ2相当の輝度となるポイントで色度を測定しているが、低輝度になるほど、色度変化が大きくなり、赤み掛かった色光となることが解る。
また、輝度が初期輝度の８０％になるまでの輝度寿命は、定電流駆動の場合、約３５０時間であった。
【００８４】
比較例２として、比較例１と同じ各階調において、評価用パネルをデューティ比１／２でパルス駆動した場合の色度データを測定した。
詳しくは、表示の階調として表示パネルの表示面で４７０ｃｄ／ｍ2相当の輝度を得るために、駆動電流Ｉｐとして、８００ｍＡ／ｃｍ2の駆動電流を１／２フレームの期間長供給してパルス駆動をしたときの輝度、および色度データを比較例１の下段に示している。このときの輝度（階調）は、表示面で４７５ｃｄ／ｍ2であり、色度は、（ｘ，ｙ）＝（0.29，0.32）と、略所期の白色光が得られていた。
以下、比較例１と同じ各階調において色度データを測定しているが、比較例１と略同じ変化推移であり、低輝度領域になると、発光色に「色ズレ」が生じて、赤み掛かった色光になることが解る。
また、デューティ比１／２でパルス駆動した場合の輝度寿命は、約３５０時間であり、定電流駆動との差は認められなかった。
【００８５】
実施例１として、比較例１と同じ各階調において、評価用パネルをデューティ比１／３でパルス駆動した場合の色度データを測定した。
詳しくは、表示の階調として表示パネルの表示面で４７０ｃｄ／ｍ2相当の輝度を得るために、駆動電流Ｉｐとして、１，６００ｍＡ／ｃｍ2の駆動電流を１／３フレームの期間長供給してパルス駆動をしたときの輝度、および色度データを比較例２の下段に示している。このときの輝度（階調）は、表示面で４７７ｃｄ／ｍ2であり、色度は、（ｘ，ｙ）＝（0.29，0.33）と、略所期の白色光が得られていた。
また、以下、比較例１と同じ各階調において色度データを測定しているが、各階調における色ズレ度合いは、比較例２よりも小さく、最も低い０．０１ｃｄ／ｍ2における色度は、（ｘ，ｙ）＝（0.35，0.36）であり、略所定の白色光が得られていることが解る。
また、デューティ比１／３でパルス駆動した場合の輝度寿命は、約３５０時間であり、定電流駆動との差は認められなかった。
【００８６】
実施例２として、比較例１と同じ各階調において、評価用パネルをデューティ比１／５でパルス駆動した場合の色度データを測定した。
詳しくは、表示の階調として表示パネルの表示面で４７０ｃｄ／ｍ2相当の輝度を得るために、駆動電流Ｉｐとして、２，４００ｍＡ／ｃｍ2の駆動電流を１／５フレームの期間長供給してパルス駆動をしたときの輝度、および色度データを実施例１の下段に示している。このときの輝度（階調）は、表示面で４７６ｃｄ／ｍ2であり、色度は、（ｘ，ｙ）＝（0.29，0.33）と、略所期の白色光が得られていた。
また、以下、比較例１と同じ各階調において色度データを測定しているが、各階調における色ズレ度合いは、実施例１と同等、または以下であり、特に、最も低い０．０１ｃｄ／ｍ2における色度は、（ｘ，ｙ）＝（0.33，0.33）と、実施例１よりも白色度が高いことが解る。
また、デューティ比１／５でパルス駆動した場合の輝度寿命は、約３５０時間であり、定電流駆動との差は認められなかった。
【００８７】
実施例３として、比較例１と同じ各階調において、評価用パネルをデューティ比１／１０でパルス駆動した場合の色度データを測定した。
詳しくは、表示の階調として表示パネルの表示面で４７０ｃｄ／ｍ2相当の輝度を得るために、駆動電流Ｉｐとして、４，４００ｍＡ／ｃｍ2の駆動電流を１／１０フレームの期間長供給してパルス駆動をしたときの輝度、および色度データを実施例２の下段に示している。このときの輝度（階調）は、表示面で４７８ｃｄ／ｍ2であり、色度は、（ｘ，ｙ）＝（0.29，0.33）と、所期の白色光が得られていた。
また、以下、比較例１と同じ各階調において色度データを測定しているが、各階調における色ズレ度合いは、実施例１と同等、または以下であり、特に、最も低い０．０１ｃｄ／ｍ2における色度は、（ｘ，ｙ）＝（0.29，0.33）と、実施例１よりも白色度が高いことが解る。
また、デューティ比１／１０でパルス駆動した場合の輝度寿命は、約３４０時間であり、定電流駆動との差は殆ど見られなかった。
【００８８】
実施例４として、比較例１と同じ各階調において、評価用パネルをデューティ比１／５０でパルス駆動した場合の色度データを測定した。
詳しくは、表示の階調として表示パネルの表示面で４７０ｃｄ／ｍ2相当の輝度を得るために、駆動電流Ｉｐとして、２０，４００ｍＡ／ｃｍ2の駆動電流を１／５０フレームの期間長供給してパルス駆動をしたときの輝度、および色度データを実施例３の下段に示している。このときの輝度（階調）は、表示面で４７６ｃｄ／ｍ2であり、色度は、（ｘ，ｙ）＝（0.29，0.34）と、略所期の白色光が得られていた。
また、以下、比較例１と同じ各階調において色度データを測定しているが、全ての階調における色度は、略同一であり、色ズレの発生は認められなかった。
また、デューティ比１／５０でパルス駆動した場合の輝度寿命は、約３４０時間であり、定電流駆動との差は殆ど認められなかった。
【００８９】
比較例３として、比較例１と同じ各階調において、評価用パネルをデューティ比１／１００でパルス駆動した場合の色度データを測定した。
詳しくは、表示の階調として表示パネルの表示面で４７０ｃｄ／ｍ2相当の輝度を得るために、駆動電流Ｉｐとして、４０，４００ｍＡ／ｃｍ2の駆動電流を１／１００フレームの期間長供給してパルス駆動をしたときの輝度、および色度データを実施例４の下段に示している。このときの輝度（階調）は、表示面で４７６ｃｄ／ｍ2であり、色度は、（ｘ，ｙ）＝（0.29，0.34）と、略所期の白色光が得られていた。
また、以下、比較例１と同じ各階調において色度データを測定しているが、全ての階調における色度は、略同一であり、色ズレの発生は認められなかった。
しかし、デューティ比１／１００でパルス駆動した場合の輝度寿命は、約１８０時間であり、定電流駆動の半分程度の寿命となっていることが解る。
【００９０】
比較例４として、比較例１と同じ各階調において、評価用パネルをデューティ比１／５００でパルス駆動した場合の色度データを測定した。
詳しくは、表示の階調として表示パネルの表示面で４７０ｃｄ／ｍ2相当の輝度を得るために、駆動電流Ｉｐとして、２００，４００ｍＡ／ｃｍ2の駆動電流を１／５００フレームの期間長供給してパルス駆動をしたときの輝度、および色度データを最下段に示している。このときの輝度（階調）は、表示面で４７４ｃｄ／ｍ2であり、色度は、（ｘ，ｙ）＝（0.29，0.34）と、略所期の白色光が得られていた。
また、以下、比較例１と同じ各階調において色度データを測定しているが、全ての階調における色度は、略同一であり、色ズレの発生は認められなかった。
しかし、デューティ比１／５００でパルス駆動した場合の輝度寿命は、約８０時間であり、定電流駆動の１/４程度の寿命となっていることが解る。
【符号の説明】
【００９１】
１…素子基板、６…画素電極、８…積層構造としての有機ＥＬ層、９…共通電極、１４…カラーフィルターとしてのＣＦ層、１７…対向基板、１８…表示パネル、２０…フレキシブル基板、２１…駆動用ＩＣ、５０…制御回路、５１…駆動切替部、７０…照度検出部、８１…正孔注入層、８２…正孔輸送層、８３，８５，８６，９１，９２…発光層、８４…中間層、８７…電子輸送層、８８…電子注入層、１００，１１０…有機ＥＬ表示装置としての表示装置、２００…電子機器としての車載メーター、Ｖ…表示面としての表示領域。
【図１】
2011141412.tif 000003
【図２】
2011141412.tif 000004
【図３】
2011141412.tif 000005
【図４】
2011141412.tif 000006
【図５】
2011141412.tif 000007
【図６】
2011141412.tif 000008
【図７】
2011141412.tif 000009
【図８】
2011141412.tif 000010
【図９】
2011141412.tif 000011
【図１０】
2011141412.tif 000012
【図１１】
2011141412.tif 000013
【図１２】
2011141412.tif 000014
【図１３】
2011141412.tif 000015
【図１４】
2011141412.tif 000016
【図１５】
2011141412.tif 000017
【図１６】
2011141412.tif 000018
【図１７】
2011141412.tif 000019
【図１８】
2011141412.tif 000020